【手続補正書】
【提出日】平成17年5月16日(2005.5.16)
【手続補正１】
【補正対象書類名】明細書
【補正対象項目名】００２０
【補正方法】変更
【補正の内容】
【００２０】
チッパ１１の前方には、同チッパ１１と所要の間隔をおいて送風機２０が配されている。この送風機２０は、上記主軸１３に所定の間隔をおいてその中心を固定した第１及び第２の回転板２１，２２と、同第１及び第２の回転板２１，２２の円周方向に配され、第１及び第２の回転板２１，２２の間に介装される複数枚のファンブレード２３とから構成されている。更に、同送風機２０と上記チッパ本体１１ａとの間には上記ハンマ１２が配されている。同ハンマ１２は短冊状の金属片からなり、前記チッパ本体１１ａと前記送風機２０の第１回転板２１との間を主軸１３に平行に架設された１本以上のロッド１４に、複数枚のハンマ１２の各一端を回転自在に取り付けている。この実施例では、主軸１３を中心として４本のロッド１４を９０°の位相角をもって配するとともに、その両端を前記チッパ本体１１ａと前記第１回転板２１との各周縁部に固着して連結している。また、１本のロッド１４には３枚のハンマ１２がスペーサ１４ａを介して回転自在に取り付けられている。このハンマ１２は前記チッパ本体１１ａの回転とともに主軸１３の回りを回転し、同時に遠心力により前記ロッド１４を中心として自由に回転して、前記チッパ１１により切断された枝葉木の切断片に打撃を与えて細かく粉砕する。
【手続補正２】
【補正対象書類名】明細書
【補正対象項目名】００２１
【補正方法】変更
【補正の内容】
【００２１】
一方、チッパ本体１１ａ寄りに配された上記送風機２０の第１回転板２１の径は上記第２回転板の径よりも小さく設定されている。その第１回転板２１の外周縁には周方向に６枚の三角片２１ａが４５°の位相角をもって配されて放射状に延びている。前記第１の回転板２１の中心から前記三角片２１ａの先端までの寸法は、第２回転板２２の半径に等しい。また、上記ファンブレード２３についても前記三角片２１ａと同様であって、６枚のファンブレード２３が第１及び第２の回転板２１，２２の間を周方向に６０°の位相角をもって放射状に配されている。このファンブレード２３は、前記三角片２１ａの先端から第１の回転板２１の中心に向けて延在しており、その長さは前記第２の回転板２２の半径の略１／２である。
【手続補正３】
【補正対象書類名】明細書
【補正対象項目名】００２４
【補正方法】変更
【補正の内容】
【００２４】
また、上記上壁部２４ｂは前壁部２４ａ及び後壁部２４ｃの左右幅よりも幅が狭く形成されており、枝葉木送込部５は更に第１枠体２４の前記上壁部２４ｂを上から跨いだ形の左右側壁部２５ａ，２５ｂからなる第２枠体２５を有している。この第２枠体２５は前記左右側壁部２５ａ，２５ｂの各上端部をくの字状に屈曲して、その上端をボルトにより結合して略逆Ｕ字状をなしている。前記左右側壁部２５ａ，２５ｂの各上端部には外側に突出する一対のブラケット２６を有しており、各ブラケット２６には引っ張りスプリング２７の上端が引っ掛けられて取り付けられている。更に、この第２枠体２５の中央部下方の左右側壁部２５ａ，２５ｂの間に枝葉木送込ローラ２８が各側壁部２５ａ，２５ｂに固設された一対の軸受部２８を介して回転自在に支承されている。また、そのローラ軸２８ａの一端は、左右側壁枠体２５の外側面に固設された駆動モータ２９の出力軸と直結されている。一方、上記第１枠体２４の前壁部２４ａの後面には前記第２枠体２５の前端面を案内するガイド板２４ｄが固設されている。前記枝葉木送込ローラ２８は、図１０に示すようにローラ本体２８ｂの周方向に４５°の位相角をもって８枚の鋸刃２８ｃがローラ軸に平行に固設されている。
【手続補正４】
【補正対象書類名】明細書
【補正対象項目名】００２５
【補正方法】変更
【補正の内容】
【００２５】
一方、上記第１枠体２４には更に上記上壁部２４ｂと同一幅を有する底壁部２４ｅが形成されており、この底壁部２４ｅを自走式台車１上に設置された支持枠３０により支持している。上記第２枠体２５の左右側壁部２５ａ，２５ｂの下端部は前記底壁部２４ｅ及び支持枠３０を越えて下方に延在している。前記底壁部２４ｅの上記引っ張りスプリング２７の下端に対応する位置に鉤付ボルト３１の下端部がナット３１ａにより高さ調節自在に固設されている。この鉤付ボルト３１の上端鉤部が前記引っ張りスプリング２７の下端を引っ掛けて支持している。従って、前記第２枠体２５は前記引っ張りスプリング２７に抗して上動し、常には下方に付勢されている。この第２枠体２５の上下動は、上記第１枠体２４の上壁部２４ｂと底壁部２４ｅにより左右側壁部２５ａ，２５ｂの内壁面が案内されるとともに、同左右側壁部２５ａ，２５ｂの前端面が第１枠体２４のガイド板２４ｄにより案内されるため安定した姿勢で上下動する。また、引っ張りスプリングの戻り力により下方に付勢されて下降するときの第２枠体２５の下降限位置は、上記第２枠体２５の天井部の内面に固着されたゴム材などからなるストッパ３２の下端が第１枠体の上壁部２４ｂの上面に当接する位置である。
【手続補正５】
【補正対象書類名】明細書
【補正対象項目名】００２７
【補正方法】変更
【補正の内容】
【００２７】
前記天板６ｄの上記急傾斜部分の後端領域には、投入ホッパ６の内部空間に通じる左右に２分割された矩形状の一対のダクト用開口３４が形成されている。このダクト用開口３４の周辺に、本発明の最も特徴的構成部材である減音ダクト３３の基部がボルト締めにより固設されている。前記減音ダクト３３は、特に図１１に示すように、側面視で基部３３ａから斜め前方に傾斜して立ち上がる傾斜部分３３ｃと、水平部分３３ｂで終わっているく字状を呈している。そして、前記水平部分３３ｂの前端面は閉塞されており、その下面は外部に開放されている角筒体からなる。更に、前記投入ホッパ６の底板６ａの後端縁には、投入ホッパ６の後端開口を開閉するとともに、開いたときには水平となり枝葉木が載置可能となる開閉部材３５の下端縁が回動支持されている。この開閉部材３５は、手動操作により、開閉される。
【手続補正６】
【補正対象書類名】明細書
【補正対象項目名】００２８
【補正方法】変更
【補正の内容】
【００２８】
減音ダクト３３の本体は金属材からなり、その基端にフランジを有しており、ボルトにより投入ホッパ６の前記ダクト用開口３４の周辺に固設一体化される。本実施例によれば、前記減音ダクト３３の先端部下面に形成された放音開口を上記枝葉木送込部５の上端部が嵌挿されている。また、この減音ダクト３３の全内壁面には、例えば合成樹脂製の発泡体やガラス繊維を始めとする各種繊維からなる不織マット等の吸音材３３ｄが接着剤や各種の止具により添着一体化されている。この減音ダクト３３の形状や構造は、図示例に限定されるものではなく、またその放音側端部を前述のように枝葉木送込部５の上端に被せずに、単に外気に向けて配置するようにしてもよい。しかし、本実施例のように減音ダクト３３の開放端を前述のように枝葉木送込部５の上端部に被せる場合には、投入ホッパ６の内部から伝わってくる騒音の外部への放出の一部が、前記枝葉木送込部５の第１及び第２枠体２４，２５により遮断されるとともに、枝葉木送込部５の枝葉木送込時に発生する騒音を同ダクト内で吸収されるため、ダクト内を通る騒音をトータルで吸収し、その外部に放出される騒音のレベルを更に減少させるようになり、減音効果がますます向上する。
【手続補正７】
【補正対象書類名】明細書
【補正対象項目名】００２９
【補正方法】変更
【補正の内容】
【００２９】
更に、本実施例にあっては、投入ホッパ６の上記ダクト用開口３４に金網３７を配して、投入ホッパ６に投入された枝葉木が前記ダクト用開口３４に侵入して引っ掛かり、粉砕部１０への送り込みが円滑になされなくなることを防いでいる。なお、この侵入を防止する手段としては、前述のような金網に限定されず、例えば投入ホッパ６の前記ダクト用開口３４の投入口側にあって、同ホッパ６の天板部６ｄに合成樹脂などからなる可撓性に優れ且つ強靱なシート材を暖簾状に取り付けてもよい。この場合でも、前記シート材が投入された枝葉木に押されて前記ダクト用開口３４を閉塞して、上記金網３７と同様の効果が期待できる。
【手続補正８】
【補正対象書類名】明細書
【補正対象項目名】００３６
【補正方法】変更
【補正の内容】
【００３６】
すなわち、本実施例では投入ホッパ６の天板６ｄの上記急傾斜部分の後端領域に、投入ホッパ６の内部空間に通じる左右に２分割された矩形状の一対のダクト用開口３４を形成するとともに、同ダクト用開口３４の周辺に減音ダクト３３の基部を固設している。ここで、この減音ダクト３３の設置位置は天板６ｄに限定されず、例えば左右側壁６ｂ，６ｃのいずれかに、或いは底板６ａに設置してもよい。また、本実施例にあっては、前記減音ダクト３３の放音端部の開口を上記枝葉木送込部５の第１枠体２４及び第２枠体２５の上端部を被せるようにして配している。しかし、この減音ダクト３３の放音側端部を前述のように枝葉木送込部５の上端部に被せずに、単に外気に向けて配置するようにしてもよい。また、本発明における減音ダクト３３は、投入ホッパ６から突出させて、その端面を閉塞した単なる箱状であってもよい。
【手続補正９】
【補正対象書類名】明細書
【補正対象項目名】００４７
【補正方法】変更
【補正の内容】
【００４７】
シュレッダハンマ１１５は主軸１１２の軸方向に沿って同一ピッチで配されて放射方向に延出する複数の連結部材１１３と、主軸１１２の軸方向に並ぶ各連結部材１１３の先端部を主軸１１２に平行に連結する複数のハンマ保持杆１１４と、各ハンマ保持杆１１４に一端を中心に回転自在に同一ピッチで取り付けられた複数のシュレッダハンマ１１５とをからなるシュレッダ１１６を構成している。また、前記主軸１１２の一端部には複数枚のファンブレード１２０ａが主軸回りに取り付けられて送風機１２０を構成している。
【手続補正１０】
【補正対象書類名】明細書
【補正対象項目名】００４９
【補正方法】変更
【補正の内容】
【００４９】
図１６及び図１７は、上記第２切断部であるチッパ１１９の構成を示している。このチッパ１１９は回転円板１１８と、同回転円板１１８の中心から外周側の点対称位置に配された一対の鉋刃１１７とを備えている。各鉋刃１１７の刃先１１７ａは、前記ハウジング１２１の側壁内面に対向して配され、各鉋刃１１７は同一径線を挟んで平行に回転円板１１８に固定されている。鉋刃１１７の刃先１１７ａに対応する回転円板１１８の位置には長孔１１８ａが形成されている。回転円板１１８の外周縁部とハウジング１２１の内壁面との間には、回転円板１１８が回転して枝木を切断したとき、その切断片が上記シュレッダ１１６に向けて弾き飛ぶ空間部を有している。更に、前記ハウジング１２１の主軸１１２に対する軸受部の斜め上方位置にあって、前記鉋刃１１７の回転領域には開口が形成されている。この開口に第２投入ホッパ１２９の基端部が取着されている。この第２投入ホッパ１２９は前記開口から大きな上傾斜角をもって外方に突設されており、同第２投入ホッパ１２９の天板部にも図示せぬ開口を形成し、第２の減音ダクト１３３’の基端を同開口周辺部に固着させている。この第２減音ダクト１３３’の放音側端部は前記チッパ１１９に向けられている。
【手続補正１１】
【補正対象書類名】明細書
【補正対象項目名】００５２
【補正方法】変更
【補正の内容】
【００５２】
次に、本実施例による自走式枝葉木粉砕機をもって剪定等がなされた枝葉木を粉砕する手順を説明する。
街路樹や歩道脇の植え込みの剪定で発生する嵩の高い枝葉木を、自走式台車１の進行方向後半部に設置された第１投入ホッパ１０８の後端開口に投入する。同時に、比較的太い枝木は第２投入ホッパ１２９に投入される。第１投入ホッパ１０８に投入された嵩の高い枝葉については、枝葉木送込部１０７を経てシュレッダ１１６の主軸１１２の回転とともに高速回転するシュレッダハンマ１１５により強打され粉砕される。一方、第２投入ホッパ１２９に投入された比較的太い枝木は、ハウジング１２１の開口部を越えると、その内面に近接して主軸１３の回転とともに回転するチッパ１１９に取着された鉋刃１１７によりチップ状に切断される。チッパ１１９により切断されたチップ状切断片は隣接する送風機のファンブレード１２０ａの送風によりシュータ１０５より排出される。
【手続補正１２】
【補正対象書類名】明細書
【補正対象項目名】００５６
【補正方法】変更
【補正の内容】
【００５６】
１                自走式台車                                                  
２                防音カバー
３                エンジンルーム
４                シュータ
５                枝葉木送込部
６                投入ホッパ
６ａ              底板
６ｂ，６ｃ        左右側壁
６ｄ              天板
７                操作部
９                ハウジング
９ａ              後壁
９ｂ              円弧状周壁
９ｃ              粉砕片放出開口
１０              粉砕部
１１              チッパ
１１ａ            チッパ本体
１１ｂ            長孔
１１ｃ            鉋刃
１２              ハンマ                                                      
１３              主軸
１４              ロッド
１４ａ            スペーサ
２０              送風機
２１              第１回転板
２１ａ            三角片
２２              第２回転板
２３              ファンブレード
２４              第１枠体
２４ａ            前壁部
２４ｂ            上壁部
２４ｃ            後壁部
２４ｄ            ガイド板
２４ｅ            底壁部
２５              第２枠体
２５ａ，２５ｂ    左右側壁部
２６              ブラケット                                                  
２７              引っ張りスプリング
２８              枝葉木送込ローラ
２８ａ            ローラ軸
２８ｂ            ローラ本体
２８ｃ            鋸刃
２９              駆動モータ
３０              支持枠
３１              鉤付ボルト
３１ａ            ナット
３２              ストッパ
３３              減音ダクト
３３ａ            基部
３３ｂ            水平部分
３３ｃ            傾斜部分
３３ｄ            吸音材
３４              ダクト用開口
３５              開閉部材
３６              ローラ操作レバー
３７              金網
１０３            エンジンルーム
１０５            シュータ
１０７            枝葉木送込部
１０８            第１投入ホッパ
１０８ａ          天板
１１０            粉砕部
１１１            変速機
１１２            主軸
１１３            連結部材
１１４            ハンマ保持杆
１１５            シュレッダハンマ
１１６            シュレッダ
１１７            鉋刃
１１７ａ          刃先
１１８            回転円板
１１８ａ          長孔
１１９            チッパ
１２０            送風機
１２０ａ          ファンブレード
１２１            ハウジング
１２２            粉砕片排出口
１２９            第２投入ホッパ
１３０            吸音材
１３１            金網
１３３，１３３’  減音ダクト
【手続補正１３】
【補正対象書類名】図面
【補正対象項目名】図３
【補正方法】変更
【補正の内容】
【図３】
2005088369.tif 000001
【手続補正１４】
【補正対象書類名】図面
【補正対象項目名】図４
【補正方法】変更
【補正の内容】
【図４】
2005088369.tif 000002
【手続補正１５】
【補正対象書類名】図面
【補正対象項目名】図８
【補正方法】変更
【補正の内容】
【図８】
2005088369.tif 000003
【手続補正１６】
【補正対象書類名】図面
【補正対象項目名】図１１
【補正方法】変更
【補正の内容】
【図１１】
2005088369.tif 000004
【手続補正１７】
【補正対象書類名】図面
【補正対象項目名】図１３
【補正方法】変更
【補正の内容】
【図１３】
2005088369.tif 000005